(57)【要約】【課題】  周波数に対するノックセンサ出力信号の特性のフラット化によって、ノッキング検出域を拡大することを課題とする。また、高周波数帯域でのばらつきが減り、周波数に対するノックセンサ出力信号の特性の不良を低減することを課題とする。【解決手段】  ベース５のフランジ１２の下面の座面接触面４１と段差４３との角部４４をアール（Ｒ）面取り加工して凸曲面形状（Ｒ面取り形状）とすることにより、ベース５の角部４４に発生する亜鉛メッキ皮膜８の盛り上がりを防止することができる。これによって、ベース５の座面接触面４１をフラットな平面形状にすることができるので、シリンダブロック１の取付け座面２に対するノックセンサの取り付けが安定する。これに伴い、高周波数帯域で、ノックセンサ出力信号が著しく大きくなる共振現象が発生し難くなり、高周波数帯域でのノックセンサ出力信号の特性に不良が発生し難くなる。【選択図】  図２
2013096844.tif 000002
【特許請求の範囲】
【請求項１】
内燃機関の座面にボルトにより固定されるノックセンサにおいて、
前記内燃機関の振動に対応した信号を外部に対して出力する圧電素子を有するセンサ本体と、
このセンサ本体を支持すると共に、内部にボルト挿通孔が形成された筒状のセンサ支持体と、
このセンサ支持体の表面全体に施された防錆または防食皮膜と
を備え、
前記センサ支持体は、前記ボルト挿通孔の開口周縁に設けられて、前記内燃機関の座面に接触する環状の接触面、この接触面の周囲を囲むように設けられて、前記内燃機関の座面との間に隙間が形成される環状の逃げ面、および前記接触面と前記逃げ面との間に形成される環状の段差を有し、
前記接触面と前記段差との角部が曲面形状または鈍角形状に形成されていることを特徴とするノックセンサ。
【請求項２】
請求項１に記載のノックセンサにおいて、
前記防錆または防食皮膜とは、防錆性または防食性を有する亜鉛メッキ皮膜のことであることを特徴とするノックセンサ。
【請求項３】
請求項１または請求項２に記載のノックセンサにおいて、
前記センサ支持体は、前記ボルトが前記内燃機関に締め込まれた際に、前記内燃機関の座面に当接するフランジを有していることを特徴とするノックセンサ。
【請求項４】
請求項１ないし請求項３のうちのいずれか１つに記載のノックセンサにおいて、
前記センサ支持体は、前記内燃機関への前記ボルトの締結方向に対して垂直な径方向の外側へ延びるフランジを有していることを特徴とするノックセンサ。
【請求項５】
請求項４に記載のノックセンサにおいて、
前記センサ支持体に螺子締結により固定されて、前記フランジとの間に前記センサ本体を保持するウェイトを備えたことを特徴とするノックセンサ。
【請求項６】
請求項４または請求項５に記載のノックセンサにおいて、
前記センサ支持体に螺子締結により固定されて、前記センサ本体を前記フランジ側へ向けて加圧するウェイトを備えたことを特徴とするノックセンサ。
【請求項７】
請求項１ないし請求項６のうちのいずれか１つに記載のノックセンサにおいて、
前記接触面は、前記ボルトが前記内燃機関に締め込まれた際に、前記内燃機関の座面に面接触するように設けられていることを特徴とするノックセンサ。
【請求項８】
請求項１ないし請求項７のうちのいずれか１つに記載のノックセンサにおいて、
前記接触面は、前記逃げ面から前記内燃機関の座面側に隆起するように設けられていることを特徴とするノックセンサ。
【請求項９】
請求項１ないし請求項８のうちのいずれか１つに記載のノックセンサにおいて、
前記圧電素子と外部との接続を行うコネクタを備えたことを特徴とするノックセンサ。
【請求項１０】
請求項９に記載のノックセンサにおいて、
前記コネクタは、前記圧電素子の軸線方向の一端に電気接続する第１導体、前記圧電素子の軸線方向の他端に電気接続する第２導体、および前記第１導体と前記第２導体を保持する成形体を有していることを特徴とするノックセンサ。
【請求項１１】
請求項１ないし請求項１０のうちのいずれか１つに記載のノックセンサにおいて、
前記センサ本体は、前記圧電素子の軸線方向の一端に重ね合わされる第１電極、前記圧電素子の軸線方向の他端に重ね合わされる第２電極、前記第１電極の板厚方向の一端面に重ね合わされる第１絶縁体、および前記第２電極の板厚方向の他端面に重ね合わされる第２絶縁体を有していることを特徴とするノックセンサ。
【請求項１２】
請求項１ないし請求項１１のうちのいずれか１つに記載のノックセンサにおいて、
前記センサ本体は、前記接触面と前記段差との角部を面取り加工して凸曲面を有していることを特徴とするノックセンサ。
【発明の詳細な説明】
【技術分野】
【０００１】
本発明は、内燃機関の振動に対応した電気信号を発生する環状の圧電素子を主体とするセンサ本体の中心部を貫通するボルトにより内燃機関の取付け座面に締結固定されるセンターホール方式のノックセンサに関するものである。
【背景技術】
【０００２】
［従来の技術］
従来より、中心部に内燃機関のシリンダブロックへ取り付けるためのボルト挿通孔を有する、所謂センターホール方式の非共振型ノックセンサ（以下ノックセンサと言う）が公知である（例えば、特許文献１参照）。
このノックセンサは、図４に示したように、鉄系の金属製の円筒状のベース（支持部材）１０１を備えている。このベース１０１のボルト挿通孔１０２には、内燃機関の取付け座部に形成される螺子孔に締め込まれるボルトが挿通する。また、ベース１０１には、ボルトの周囲を取り囲むように配置される円筒状のスリーブ１０３が設けられている。このスリーブ１０３の端部には、スリーブ１０３の軸線方向に対して垂直な半径方向の外側へ放射状に延伸した円環状のフランジ１０４が設けられている。
【０００３】
スリーブ１０３の雄ネジ１０５には、スリーブ１０３の外周（周囲）を取り囲むように配置されるセンサ本体を加圧（圧縮）するウェイト１０６を一体成形した金属製のナット１０７が締め込まれている。
センサ本体は、内燃機関の振動に対応したセンサ出力信号（電圧信号）を外部に対して出力する円環状の圧電素子１０９と、この圧電素子１０９の一端に重ね合わされる電極板１１１と、圧電素子１０９の他端に重ね合わされる電極板１１２と、ウェイト１０６およびナット１０７と電極板１１１との間を絶縁する絶縁板１１３と、ベース１０１のフランジ１０４と電極板１１２との間を絶縁する絶縁板１１４とを有している。
【０００４】
ノックセンサは、ベース１０１のフランジ１０４上にセンサ本体を搭載し、ナット１０７をスリーブ１０３の雄ネジ１０５に締め込むことで、ナット１０７に一体化されたウェイト１０６とベース１０１のフランジ１０４との間に、圧電素子１０９を含むセンサ本体を挟み付けて保持固定した後に、全体を樹脂成形体１１５によって樹脂モールド成形している。
ここで、ベース１０１のボルト挿通孔１０２の開口周縁には、図５に示したように、内燃機関の取付け座部の螺子溝の周囲に設けられる円環状の座面（取付け座面）に接触する円環状の座面接触面１２１が設けられている。この座面接触面１２１の周囲には、内燃機関の取付け座面との間に隙間が形成される円環状の座面逃げ面（逃げ部）１２２が設けられている。また、座面接触面１２１は、座面逃げ面１２２から取付け座面側へ１段隆起するように設けられている。つまり座面接触面１２１と座面逃げ面１２２との間には、円環状の段差１２３が設けられている。
【０００５】
そして、座面接触面１２１と段差１２３との角部（エッジ）１２４の断面形状は、ピン角形状（直角形状）に形成されている。
また、座面逃げ面１２２と段差１２３との角部（エッジ）１２５の断面形状は、ある中心点を中心とした曲率半径の凹曲面形状に形成されている。
なお、ベース１０１の表面には、防錆性および耐食性を向上させるという目的で、メッキ処理（例えば亜鉛メッキ処理）が施されている。
そして、以上のような構造（ベースピン角構造）のノックセンサが、内燃機関のシリンダブロックにボルト締結により固定され、内燃機関のシリンダブロックの振動をベース１０１を介して圧電素子１０９が受けると、圧電素子１０９から内燃機関のシリンダブロックの振動に対応した波形を有するノックセンサ出力信号（電圧信号）を外部に対して出力する。
【０００６】
なお、ノックセンサによるノッキングに伴う振動の誤検出を防止して、ノッキング検出精度を高めるには、ノックセンサの出力電圧特性が、特定の周波数帯域（特に周波数帯域）において著しく大きくなることなく、振動周波数に対してフラットな特性（電圧波形の傾きが略一定、あるいは急激に変化することがない出力電圧特性）となることが望ましい。
そこで、ノックセンサから安定した出力電圧特性、つまり振動周波数に対してフラットな特性を得るには、内燃機関のシリンダブロックの取付け座面に対して不完全な状態で取り付けられることなく、例えばベース１０１のフランジ１０４の座面接触面１２１に対してノックセンサのベース１０１の下面が傾斜して取り付けられることなく、ノックセンサを内燃機関にボルト締結により固定する必要がある。
【０００７】
［従来の技術の不具合］
ところが、特許文献１に記載のノックセンサにおいては、取付け面であるハウジングは、材質が鉄であり、防錆性および耐食性を向上させるという目的で、亜鉛メッキ皮膜１２６が施されている。
そして、ベース１０１の座面接触面１２１と段差１２３との角部１２４の断面形状を、ピン角形状（直角形状）に形成している。つまりベース１０１の座面接触面１２１の角部形状をピン角としている。
これにより、ベース１０１の座面接触面１２１に亜鉛メッキ皮膜１２６を施すと、座面接触面１２１と段差１２３との角部１２４に形成される亜鉛メッキ皮膜１２６が内燃機関のシリンダブロックの取付け座面側に向かって凸となるように盛り上がる。つまりベース１０１の角部１２４に、亜鉛メッキ皮膜１２６の盛り上がりが発生する。
【０００８】
ベース１０１の表面に施された亜鉛メッキ皮膜１２６の一部が盛り上がることにより、内燃機関のシリンダブロックの取付け座面とベース１０１の座面接触面１２１との相性が悪くなり、内燃機関のシリンダブロックの取付け座面に対するノックセンサの取り付けが不安定となる。
これによって、図３に破線（ベースピン角）で示したように、特定の周波数帯域（例えば高周波数帯域）で、ノックセンサ出力信号（電圧）が著しく大きくなる現象（共振現象）が発生し、特定の周波数帯域（例えば高周波数帯域）でのノックセンサの出力電圧特性に不良が発生する。つまり特定の周波数帯域（例えば高周波数帯域）でのノックセンサの出力電圧特性がフラットな特性とならない。
【０００９】
したがって、特定の周波数帯域（例えば高周波数帯域）においては、内燃機関に発生した振動を、ノッキング振動であると誤検出する可能性があるため、ノックセンサにおけるノッキング検出域が狭いという問題が生じる。
ここで、亜鉛メッキ皮膜１２６の盛り上がりをなくすため、ベース１０１の素材を銅系に変更してメッキ処理を実施しないようにすることが考えられるが、鉄＋亜鉛メッキ皮膜１２６よりもコストアップとなる。
【先行技術文献】
【特許文献】
【００１０】
【特許文献１】特開２００２−０５５０１３号公報
【発明の概要】
【発明が解決しようとする課題】
【００１１】
本発明の目的は、外部に対して出力される出力信号の特性を向上して、内燃機関のノッキングの検出精度を向上することのできるノックセンサを提供することにある。
また、幅広い周波数帯域に渡って、内燃機関のノッキングの検出精度を向上して、ノッキング検出域を飛躍的に拡大させることのできるノックセンサを提供することにある。
また、特定の周波数帯域でのばらつきを減らして、外部に対して出力される出力信号の特性の不良を低減することのできるノックセンサを提供することにある。
【課題を解決するための手段】
【００１２】
請求項１に記載の発明は、内燃機関の座面にボルトにより固定されるノックセンサにおいて、内燃機関の振動に対応した信号を外部に対して出力する圧電素子を有するセンサ本体と、このセンサ本体を支持すると共に、内部にボルト挿通孔が形成されたセンサ支持体と、このセンサ支持体の表面全体に施された防錆または防食皮膜とを備えている。
センサ支持体は、内燃機関の座面に接触する環状の接触面、内燃機関の座面との間に隙間が形成される環状の逃げ面、および接触面と逃げ面との間に形成される環状の段差を有している。
接触面は、ボルト挿通孔の開口周縁に設けられている。
逃げ面は、接触面の周囲を囲むように設けられている。
センサ支持体は、接触面と段差との角部が（防錆または防食皮膜の盛り上がりを防止可能な）曲面形状または鈍角形状に形成されている。
【００１３】
請求項１に記載の発明によれば、センサ支持体の接触面と段差との角部を曲面形状または鈍角形状に形成することにより、接触面と段差との角部に発生する防錆または防食皮膜の盛り上がりを防止できる。
これによって、センサ支持体の接触面をフラットな（平坦な）平面形状にすることができるので、内燃機関の座面に対するノックセンサの取り付けが安定する。
これに伴い、特定の周波数帯域で、ノックセンサの出力信号が著しく大きくなる現象が発生し難くなり、特定の周波数帯域でのノックセンサの出力信号の特性に不良が発生し難くなる。この結果、ノックセンサの出力信号の特性が、フラットな特性となる。
したがって、外部に対して出力される出力信号の特性を向上できるので、内燃機関のノッキングの検出精度を向上することができる。
また、幅広い周波数帯域に渡って、内燃機関のノッキングの検出精度を向上できるので、ノッキング検出域を飛躍的に拡大させることができる。
また、特定の周波数帯域でのばらつきを減らして、外部に対して出力される出力信号の特性の不良を低減することができる。
【００１４】
請求項２に記載の発明によれば、センサ支持体の表面全体に施される防錆または防食皮膜とは、センサ支持体の防錆性または防食性を向上させる亜鉛メッキ皮膜のことである。なお、センサ支持体の表面全体に亜鉛クロメートメッキ皮膜を施しても良い。また、亜鉛メッキ皮膜の表面に、亜鉛メッキ皮膜の防錆性または防食性を向上させる防錆処理皮膜または防食処理皮膜を施しても良い。
ここで、センサ支持体は、例えば炭素鋼等の鉄系金属によって形成されている。このセンサ支持体は、鋳造成形、鍛造加工、切削加工、研削加工を用いて環状の接触面、環状の逃げ面および環状の段差が形成されている。
【００１５】
請求項３に記載の発明によれば、ノックセンサのセンサ支持体に、ボルトが内燃機関に締め込まれた際に、内燃機関の座面に当接する（環板状の）フランジ（鍔部）を備えている。
請求項４に記載の発明によれば、ノックセンサのセンサ支持体に、内燃機関（の取付け座部）へのボルトの締結方向に対して垂直な径方向の外側へ延伸した（環板状の）フランジ（鍔部）を備えている。
なお、センサ支持体の接触面、逃げ面および段差は、フランジの座面側面に形成されている。つまりセンサ支持体の接触面は、逃げ面および段差を伴って、センサ支持体のフランジの板厚方向の一端面（座面側面）に設けられている。
【００１６】
請求項５に記載の発明によれば、ノックセンサは、センサ支持体に螺子締結により固定されて、センサ支持体のフランジとの間にセンサ本体を保持（挟み込んで固定、挟持）するウェイトを備えている。
請求項６に記載の発明によれば、ノックセンサは、センサ支持体に螺子締結により固定されて、センサ本体をセンサ支持体のフランジ側へ向けて加圧（押圧）するウェイトを備えている。
なお、ウェイトは、例えば炭素鋼等の鉄系金属によって形成されている。このウェイトは、鋳造成形、鍛造加工、切削加工、研削加工を用いて各部が形成されている。
請求項７に記載の発明によれば、センサ支持体（のフランジの座面側面）に、ボルトが内燃機関に締め込まれた際に、内燃機関の座面に面接触する接触面を設けている。
請求項８に記載の発明によれば、センサ支持体（のフランジの座面側面）に、逃げ面から内燃機関の座面側に隆起する接触面を設けている。
なお、センサ支持体は、内燃機関に対するボルトの締結方向に延びるスリーブを備えている。また、センサ本体は、センサ支持体のスリーブの周囲を周方向に取り囲むように設置されている。
【００１７】
請求項９に記載の発明によれば、ノックセンサは、センサ本体の圧電素子と外部（電子制御装置等の外部回路や外部電源等）との接続を行う（センサ）コネクタを備えている。  請求項１０に記載の発明によれば、ノックセンサは、圧電素子の軸線（加圧）方向の一端に電気接続する第１導体、圧電素子の軸線（加圧）方向の他端に電気接続する第２導体、および第１導体と第２導体を保持する成形体を有する（センサ）コネクタを備えている。
なお、一対の第１、第２導体は、成形体の導体配線部の内部にモールド樹脂材によるインサート成形により固定（埋設保持）されている。
第１導体は、圧電素子の軸線（加圧）方向の一端に重ね合わされる第１電極を有している。また、第２導体は、圧電素子の軸線（加圧）方向の他端に重ね合わされる第２電極を有している。
【００１８】
請求項１１に記載の発明によれば、センサ本体は、（ウェイトにより圧縮される環状の圧電素子、この）圧電素子の軸線（加圧）方向の一端に重ね合わされる第１電極、圧電素子の軸線（加圧）方向の他端に重ね合わされる第２電極、第１電極の板厚（加圧）方向の一端面に重ね合わされる第１絶縁体、および第２電極の板厚（加圧）方向の他端面に重ね合わされる第２絶縁体を備えている。
なお、第１電極は、圧電素子の軸線（加圧）方向の一端に電気的に接続される環状の電極板である。また、第２電極は、圧電素子の軸線（加圧）方向の他端に電気的に接続される環状の電極板である。
第１絶縁体は、例えばウェイトと圧電素子との間を電気的に絶縁する環状の絶縁板（インシュレータ）である。また、第２絶縁体は、例えば圧電素子とセンサ支持体のフランジとの間を電気的に絶縁する環状の絶縁板（インシュレータ）である。
【００１９】
請求項１２に記載の発明によれば、センサ本体は、接触面と段差との角部を面取り加工して凸曲面形状（アール面取り形状）を形成している。
なお、アール面取り形状とは、所定の曲率半径（例えばφ０．５ｍｍ以上）を有する凸曲面形状（Ｒ面取り形状）のことである。
また、センサ本体は、接触面と段差との角部を面取り加工して鈍角形状（テーパ（傾斜）面取り形状）を形成しても良い。
【図面の簡単な説明】
【００２０】
【図１】（ａ）はノックセンサの取付け構造を示した断面図で、（ｂ）は（ａ）の拡大図である（実施例１）。
【図２】（ａ）はノックセンサの取付け構造の主要部を示した断面図で、（ｂ）は（ａ）の拡大図である（実施例１）。
【図３】ノックセンサのセンサ出力信号の電圧波形を示した説明図である（実施例１）。
【図４】ノックセンサを示した断面図である（従来の技術）。
【図５】（ａ）はノックセンサの主要部を示した断面図で、（ｂ）は（ａ）の拡大図である（従来の技術）。
【発明を実施するための形態】
【００２１】
以下、本発明の実施の形態を、図面に基づいて詳細に説明する。
本発明は、外部に対して出力される出力信号の特性を向上して、内燃機関のノッキングの検出精度を向上するという目的、また、周波数に対するノックセンサ出力信号の特性のフラット化によって、ノッキング検出域を拡大するという目的、また、特定の周波数帯域（例えば高周波数帯域）でのばらつきが減り、周波数に対するノックセンサ出力信号の特性の不良を低減するという目的を、センサ支持体の接触面の角部を曲面形状または鈍角形状にして、接触面と段差との角部に発生する防錆または防食皮膜の盛り上がりを防止することで実現した。
【実施例１】
【００２２】
［実施例１の構成］
図１ないし図３は本発明の実施例１を示したもので、図１および図２はノックセンサの取付け構造を示した図で、図３は振動周波数に対するノックセンサの出力電圧特性を示した図である。
【００２３】
本実施例のノッキング検出装置は、非共振型のノックセンサと、このノックセンサから出力されたノックセンサ出力信号（電気信号：例えば電圧信号）から内燃機関（エンジン）のノッキングを検出するエンジン制御装置（電子制御装置：ＥＣＵ）とを備えている。  ノックセンサは、エンジンのシリンダブロック１の取付け座面２にボルト３により締結固定されている。このボルト３は、シリンダブロック１の取付け座面２にノックセンサを締結（締め付け）により固定する締結体である。
ノックセンサは、エンジンの振動に対応したノックセンサ出力信号を外部（ＥＣＵ等の外部回路）に対して出力するＰＺＴ素子４を含んで構成されるセンサ本体と、このセンサ本体を支持する円筒状のセンサ支持体（ベース）５と、このベース５との間でセンサ本体を挟み込むウェイト６と、ＰＺＴ素子４と外部（ＥＣＵ等の外部回路、電源回路等）との電気的な接続を行うセンサコネクタ７とを備えている。
【００２４】
ベース５は、ボルト３の締結方向（センサ本体の軸線方向）へ真っ直ぐに延びる円筒状のスリーブ１１、およびシリンダブロック１へのボルト３の締結方向に対して垂直な半径方向の外側へ延びる（拡がる）円環状（鍔状）のフランジ１２を有している。
スリーブ１１の外周面には、ウェイト６に一体的に形成されたナット１３を螺子締結するための雄ネジ１４が形成されている。
スリーブ１１およびフランジ１２の内部には、シリンダブロック１の螺子孔（雌ネジ孔）に締め込まれるボルト３が、その軸線方向に挿通する円形状のボルト挿通孔１５が形成されている。これにより、本実施例のノックセンサは、センサ構成部品（センサ本体、ベース５およびウェイト６等）の中心部にボルト挿通孔１５が貫通形成されたセンターホール式のノックセンサを構成する。
なお、ベース５の詳細は、後述する。
【００２５】
センサ本体は、ＰＺＴ素子４を主体として構成されて、ＰＺＴ素子４の他に、一対の第１、第２電極板２１、２２および一対の第１、第２絶縁板２３、２４を備えている。
ＰＺＴ素子４は、圧電効果を有する材料（チタン酸ジルコン酸鉛（ＰＺＴ））からなる。なお、圧電効果を有する材料として、チタン酸バリウム等の各種セラミックス、水晶等の各種結晶、ポリフッ化ビニリデン等の各種有機材料等を使用して、圧電素子を構成しても良い。
ＰＺＴ素子４は、ベース５のフランジ１２の図示上端面（上面）側に配置されている。このＰＺＴ素子４は、ベース５を介して伝達される軸線方向の振動をノックセンサ出力信号（電圧信号）として外部へ出力する測定素子である。
【００２６】
第１電極板２１は、ＰＺＴ素子４の軸線方向の一端に当接するように設置されて、ＰＺＴ素子４の軸線方向の一端に電気的に接続する電極部である。
第２電極板２２は、ＰＺＴ素子４の軸線方向の他端に当接するように設置されて、ＰＺＴ素子４の軸線方向の他端に電気的に接続する電極部である。
第１絶縁板２３は、第１電極板２１に当接するように設置されて、ウェイト６と第１電極板２１との間を電気的に絶縁する円環シート状の絶縁体（インシュレータ、絶縁シート）である。
第２絶縁板２４は、第２電極板２２に当接するように設置されて、ベース５のフランジ１２と第２電極板２２との間を電気的に絶縁する円環シート状の絶縁体（インシュレータ、絶縁シート）である。
【００２７】
ウェイト６は、例えば炭素鋼等の鉄系金属によって円環状に形成されている。このウェイト６は、鋳造成形、鍛造加工またはプレス加工、切削加工、研削加工等を用いて各部が形成されている。また、ウェイト６の図示上部には、円環状のナット１３が一体的に形成されている。このナット１３の内周には、ベース５のスリーブ１１に形成されている雄ネジ１４と螺合（螺子結合）する雌ネジが設けられている。
ナット１３は、外周形状が多角形（例えば六角形）に形成されており、工具を用いてベース５のスリーブ１１に締め付け固定できるように構成されている。
【００２８】
ウェイト６は、ＰＺＴ素子４をフランジ１２との間に挟み込むことで、ＰＺＴ素子４に対して荷重を印加するために設置されている。
ウェイト６は、ベース５のフランジ１２の図示上端面（反エンジン側面、上面）との間に所定の軸方向距離を隔てて対向して配置される対向部を有している。
ここで、ウェイト６は、第１電極板２１の上面（板厚方向の一端面）に配置されて、スリーブ１１の周囲を円周方向に取り囲むように円環形状（または円筒形状）に形成されている。
【００２９】
センサコネクタ７は、複数の電線（ワイヤーハーネス）を介して、外部回路であるＥＣＵのＡ／Ｄ変換回路や電源回路等にそれぞれ電気接続される一対の第１、第２導体（第１、第２センサターミナル）、およびこれらの第１、第２センサターミナルの各センサリード３１を保持する樹脂成形体３２を備えている。
センサコネクタ７の樹脂成形体３２には、円筒状の樹脂充填部３３、角筒状のコネクタケース３４、導体配線部（ターミナル配線部）３５およびセンサ被覆部３６が一体的に設置されている。
コネクタケース３４は、そのフード部分が、相手側コネクタとの嵌合方向（接続方向）へ向けて延設されている。
ターミナル配線部３５は、一対の第１、第２センサターミナルの各センサリード３１を保持する部分である。
センサ被覆部３６は、ベース５のスリーブ１１およびセンサ本体の外周側を被覆する部分である。
【００３０】
一対の第１、第２センサターミナルは、樹脂成形体３２のターミナル配線部３５の内部にモールド樹脂材（例えば絶縁性を有する合成樹脂）によるインサート成形により固定（埋設保持）されている。
第１センサターミナルは、ＰＺＴ素子４の軸線（加圧）方向の一端に重ね合わされる第１電極板２１、およびこの第１電極板２１の半径方向の外側に向けて延伸したセンサリード３１を有している。このセンサリード３１は、外部回路との接続のための第１端子部である。
第２センサターミナルは、ＰＺＴ素子４の軸線（加圧）方向の他端に重ね合わされる第２電極板２２、およびこの第２電極板２２の半径方向の外側に向けて延伸したセンサリードを有している。このセンサリードは、外部回路との接続のための第２端子部である。
一対のセンサリード３１は、樹脂成形体３２のターミナル配線部３５にインサート成形されている。また、これらのセンサリード３１の先端は、樹脂成形体３２のコネクタケース３４内に形成される内部空間で露出している。
なお、第１センサターミナルのセンサリード３１と第２センサターミナルのセンサリードとは、抵抗素子３７を介して電気的に接続されている。
【００３１】
ＰＺＴ素子４、第１、第２電極板２１、２２および第１、第２絶縁板２３、２４は、ベース５のスリーブ１１の周囲を円周方向に取り囲むように円環状（または円筒状）に形成されており、ベース５のスリーブ１１の外周側に設置されている。
ベース５のフランジ１２とウェイト６の対向部との間には、ウェイト６側から順に、第１絶縁板２３、第１電極板２１、ＰＺＴ素子４、第２電極板２２、第２絶縁板２４が挟み込まれている。そして、ベース５のスリーブ１１の雄ネジ１４に対するウェイト６の捩じ込み量（捩じ込み位置）を調整することにより、ベース５のフランジ１２とウェイト６の対向部との間に挟み込まれる第１絶縁板２３、第１電極板２１、ＰＺＴ素子４、第２電極板２２、第２絶縁板２４に加わる荷重が調整される。
【００３２】
ベース５、ＰＺＴ素子４、ウェイト６、第１、第２電極板２１、２２および第１、第２絶縁板２３、２４の半径方向の外側は、樹脂成形体３２のセンサ被覆部３６によって覆われている。
なお、ウェイト６の下面（ＰＺＴ素子４側の円環状端面）には、ウェイト６の内周側と外周側とを連通する複数の径方向溝（放射状溝または十字溝）３９が設けられている。これにより、ＰＺＴ素子４を含むセンサ本体およびウェイト６の内周側とベース５のスリーブ１１の外周面との間に形成される円筒隙間にも、樹脂成形体３２を形成するモールド樹脂材（樹脂充填部３３）が充填される（回り込む）。
【００３３】
［実施例１の特徴］
ここで、非共振型のノックセンサは、例えば炭素鋼等の鉄系金属製のベース５の下面が、エンジンのシリンダブロック１の取付け座面２に接触するように取り付けられて使用されている。これにより、ベース５は、シリンダブロック１と電気的に接続することになる。また、ベース５のスリーブ１１に直接組み付けられるウェイト６もベース５を介して、シリンダブロック１と電気的に接続することになる。
【００３４】
そこで、非共振型のノックセンサにおいては、センサ本体の構成部品として、ウェイト６と第１電極板２１とを電気的に絶縁する第１絶縁板２３と、ベース５のフランジ１２と第２電極板２２とを電気的に絶縁する第２絶縁板２４とを用いて、ＰＺＴ素子４を含むセンサ本体を支持するベース５、およびＰＺＴ素子４に荷重を与えるウェイト６に対する、ＰＺＴ素子４および第１、第２電極板２１、２２の絶縁を確保している。
なお、ＰＺＴ素子４を含むセンサ本体およびウェイト６の内周側とベース５のスリーブ１１の外周面との間に形成される円筒隙間には、絶縁性を有するモールド樹脂材（樹脂充填部３３）が充填されており、ＰＺＴ素子４および第１、第２電極板２１、２２が、ベース５のスリーブ１１に電気的に接続するのを防止している。
【００３５】
次に、本実施例のベース５の詳細を図１ないし図３に基づいて説明する。
ベース５は、例えば炭素鋼等の鉄系金属によって円筒状に形成されている。このベース５は、スリーブ１１およびフランジ１２を備えている。
スリーブ１１の外周面には、ナット１３の雌ネジが螺合する雄ネジ１４が形成されている。このスリーブ１１の内部には、ボルト挿通孔１５が形成されている。また、スリーブ１１の軸線方向の一端面、つまりボルト挿通孔１５の開口周縁には、ボルト３の頭部が着座する円環状の着座面１６が形成されている。
スリーブ１１の外周には、スリーブ１１の軸線方向の一端側から他端側へ向けて順番に、ウェイト６、第１絶縁板２３、第１電極板２１、ＰＺＴ素子４、第２電極板２２、第２絶縁板２４が嵌め合わされている。
ベース５のスリーブ１１の軸線方向の一端側の外周、およびフランジ１２の外周には、樹脂成形体３２との密着性を高めるための周方向凹溝１７、１８が設けられている。
【００３６】
ベース５のフランジ１２は、スリーブ１１の軸線方向の他端側に設けられている。このフランジ１２の図示下端面には、シリンダブロック１の取付け座面側に配置されるベース底面（以下ベース５の下面と言う）が形成されている。
ベース５の下面には、シリンダブロック１の取付け座面２に当接する円環状の座面接触面４１、およびシリンダブロック１の取付け座面２との間に僅かな環状隙間（微小隙間）が形成される円環状の座面逃げ面４２が設けられている。なお、座面接触面４１と座面逃げ面４２との間には、円環状の段差４３が設けられている。
なお、ベース５の表面全体には、ベース５の母材である鉄系金属の防錆性および防食性を向上させるための防錆および防食皮膜（亜鉛メッキ皮膜）８が所定の膜厚（例えば１０μｍ）で施されている。
【００３７】
座面接触面４１は、ボルト挿通孔１５の開口周縁に設けられている。この座面接触面４１は、ボルト３がシリンダブロック１の雌ネジ孔に締め込まれた際に、シリンダブロック１の取付け座面２に面接触するように平面形状に設けられている。また、座面接触面４１は、座面逃げ面４２からシリンダブロック１の取付け座面側に１段隆起するように設けられている。また、座面接触面４１は、ボルト３の頭部の外径よりも僅かに大きい外径を有している。
座面逃げ面４２は、座面接触面４１の周囲を円周方向に取り囲むように設けられている。この座面逃げ面４２は、座面接触面４１から反取付け座面側に１段凹むように設けられている。また、座面逃げ面４２は、ボルト３の頭部の外径よりも遥かに大きい外径を有している。
【００３８】
ここで、本実施例のベース５は、例えば鋳造成形、鍛造加工、切削加工、研削加工を用いてスリーブ１１、フランジ１２、座面接触面４１、座面逃げ面４２および段差４３が形成されている。
また、ベース５は、座面接触面４１と段差４３との角部４４をアール（Ｒ）面取り加工して凸曲面形状（Ｒ面取り形状）を形成している。つまりベース５の座面接触面４１と段差４３との角部４４の断面形状は、亜鉛メッキ皮膜８の盛り上がりを防止することが可能な凸曲面形状（所定の曲率半径Ｒ（例えばφ０．５ｍｍ以上）を有するＲ面取り形状）となっている。
【００３９】
［実施例１の製造方法］
次に、本実施例のノックセンサの製造方法を説明する。
先ず、炭素鋼等の鉄系金属を鋳造することで、センサ本体を支持するベース（センサ支持体）用のインゴット（金属塊）を作り、このインゴットを鍛造型に入れて冷間鍛造（または熱間鍛造）する。これにより、円筒状のスリーブ１１および円環状のフランジ１２を有する鍛造成形品（母材）が形成される。
【００４０】
次に、鍛造成形品に切削加工等を施すことにより、スリーブ１１の外周面に、ウェイト６に一体的に形成されたナット１３を螺子締結するための雄ネジ１４が形成される。なお、鍛造成形品に切削加工等を施すことにより、ボルト３が挿通する円形状のボルト挿通孔１５を形成しても良い。
また、鍛造成形品の下面に設けられる、ボルト挿通孔１５と同心状を成す円筒状の隆起部（座面逃げ面４２から下方（エンジン側）へ隆起した部分）の下面に切削加工や研削加工等を施すことにより、鍛造成形品の下面に座面接触面４１を形成する。
次に、鍛造成形品に切削加工や研削加工等を行った母材表面全体に、所定のメッキ厚さの亜鉛メッキ皮膜８を施すことにより、円筒状のベース５が製造される。
【００４１】
亜鉛メッキ皮膜８とは、その膜厚（メッキ厚さ）が、例えば２μｍ〜３０μｍ程度または例えば３μｍ〜１５μｍ程度の亜鉛または亜鉛合金からなるメッキ皮膜（防錆処理皮膜または防食処理皮膜）のことである。この亜鉛メッキ皮膜８は、通常の電気メッキ法（電解亜鉛メッキ法）により形成することができる。ベース５の金属母材上に亜鉛メッキを析出させるには、硫酸浴、アンモン浴、カリ浴等の酸性浴、アルカリノーシアン浴、アルカリシアン浴等のアルカリ浴のいずれでも良い。
なお、亜鉛メッキ皮膜８のメッキ厚さが２μｍ未満であると、例えば炭素鋼等の鉄系金属製のベース（母材）５の耐錆性および耐食性を十分に発揮できなくなる。
また、亜鉛メッキ皮膜８のメッキ厚さが３０μｍを越えると、亜鉛メッキ皮膜８の剥がれが発生し易くなり、メッキ時間も長くなる。
ここで、亜鉛メッキ皮膜（層）８の表面を、更に亜鉛よりも酸化され難い金属成分を含むクロメート皮膜で被覆して、亜鉛メッキ皮膜８の腐食や変色等の不具合を回避するようにしても良い。クロメート皮膜は、その膜厚が０．０５μｍ〜０．１８μｍ程度で、三価クロメート皮膜を形成するための処理溶液を用いた方法により形成できる。
【００４２】
次に、本実施例のノックセンサの組付手順（組付方法）を説明する。
先ず、ベース５のスリーブ１１の外周を取り囲むように、図示下端側（他端側）から図示上端側（一端側）へ向けて、ベース５のフランジ１２の上面（搭載面）上に、第２絶縁板２４、第２電極板２２、ＰＺＴ素子４、第１電極板２１、第１絶縁板２３およびウェイト６を順次積層する。このとき、第１センサターミナルのセンサリード３１と第２センサターミナルのセンサリードとを、抵抗素子３７を介して電気的に接続する。
次に、ウェイト６に一体化されたナット１３の雌ネジをベース５のスリーブ１１の雄ネジ１４に螺子結合し、ベース５のフランジ１２の上面とウェイト６の対向部との間で、センサ本体（第２絶縁板２４、第２電極板２２、ＰＺＴ素子４、第１電極板２１および第１絶縁板２３）を挟持固定する。
その後、ベース５およびセンサ本体を射出成形用金型内にセットし、ベース５およびセンサ本体を覆うように、モールド樹脂材を射出成形して、樹脂成形体３２を形成することにより、非共振型のノックセンサが製造される。
【００４３】
ここで、ノックセンサは、樹脂成形体３２のエンジン側端面（他端面、図示下端面（下面４５））からベース５の下面（座面接触面４１、座面逃げ面４２および段差４３）が露出し、また、樹脂成形体３２の反エンジン側端面（一端面、図示上端面）からベース５のスリーブ１１の一端部が露出するように形成される。
以上のように製造されたノックセンサは、センサ本体およびベース５を貫通するボルト挿通孔１５にボルト３を挿通し、このボルト３の軸部の雄ネジをシリンダブロック１の雌ネジ孔に締め込むことにより、ベース５の下面（特に座面接触面４１）が、シリンダブロック１の取付け座面２に面接触（当接）するように、シリンダブロック１に対して取り付けられる。つまりシリンダブロック１に対してノックセンサが固定される。
【００４４】
［実施例１の作用］
次に、本実施例のノックセンサの作動を図１ないし図３に基づいて簡単に説明する。
【００４５】
本実施例のノックセンサは、センサ本体およびベース５の中心部をその軸線方向（締結方向）に貫通するボルト３によって、エンジンのシリンダブロック１の取付け座面２に締め付け固定されている。
エンジンに発生する振動は、シリンダブロック１に取り付けられたノックセンサのベース５のフランジ１２に伝達される。
ベース５に伝達されたエンジンの振動は、ベース５のスリーブ１１からウェイト６に伝達される。
そして、ウェイト６に伝達されたエンジンの振動は、ウェイト６により増幅されて、ＰＺＴ素子４に伝達される。
【００４６】
すなわち、ノックセンサは、ベース５の下面が、シリンダブロック１の取付け座面２に接触するように装着されている。これにより、ベース５およびこのベース５に接続するウェイト６は、エンジンに発生する振動と一体となって振動する。
このとき、エンジンより発生する振動加速度に比例した力がＰＺＴ素子４に加わり、ＰＺＴ素子４の軸線方向の両側の第１、第２電極板２１、２２間に歪みに比例した電圧が発生する。つまりＰＺＴ素子４に加わる応力が電気的なノックセンサ出力信号（電圧信号）に変換される。
この結果、一対の第１、第２センサターミナルの各センサリード３１からは、エンジンに発生する振動と同様な波形を有する電圧信号が外部に出力される。
そして、ＥＣＵは、ノックセンサから出力された電圧信号を入力（取得）し、この取得した電圧信号が、予め設定された設定値を越えたら、エンジンにノッキング振動が発生していると判断して、点火プラグの遅角制御や、インジェクタの噴射時期制御を行う。
【００４７】
［実施例１の効果］
以上のように、本実施例のノックセンサにおいては、ベース５の下面の座面接触面４１と段差４３との角部４４の断面形状を、曲率半径Ｒを有するＲ面取り形状とすることにより、ベース５の下面の角部４４に発生する亜鉛メッキ皮膜８の盛り上がりを防止することができる。これによって、ベース５の座面接触面４１をフラットな（平坦な）平面形状にすることができるので、シリンダブロック１の取付け座面２に対するノックセンサの取り付けが安定する。
これに伴い、特定の周波数帯域（例えば高周波数帯域）で、外部に対して出力されるノックセンサ出力信号の特性、つまりノックセンサより外部に対して出力されるノックセンサ出力信号（電圧信号）が著しく大きくなる現象（共振現象）が発生し難くなり、特定の周波数帯域（例えば高周波数帯域）でのばらつきが減る。これにより、特定の周波数帯域（例えば高周波数帯域）でのノックセンサの出力電圧特性（振動周波数に対する出力電圧特性）に不良が発生し難くなる。この結果、ノックセンサの出力電圧特性が、図３に実線で示したようなフラットな特性となる。
【００４８】
ここで、本実施例のノックセンサは、ベース５のフランジ１２の下面（特に座面接触面４１）が、シリンダブロック１の取付け座面２に接触するように固定される非共振型のノックセンサである。
横軸を振動周波数とし、縦軸をセンサ出力電圧とするグラフ上に、従来例のノックセンサおよび実施例のノックセンサのセンサ出力信号の電圧波形（センサ出力波形）を表した実験結果を、図３に示す。
なお、図３の実線で示した電圧波形が、実施例のノックセンサのセンサ出力波形であり、また、図３の破線で示した電圧波形が、従来例のノックセンサのセンサ出力波形である。
実験結果から分かるように、従来例のノックセンサのセンサ出力波形は、高周波数帯域において、振動周波数の変化に対する出力電圧の変化量が、著しく大きいことが分かる。また、実施例のノックセンサのセンサ出力波形は、高周波数帯域においても、振動周波数の変化に対する出力電圧の変化量が小さいことが分かる。
【００４９】
以上の結果により、本実施例のノックセンサにおいては、ノックセンサの出力電圧特性が、特定の周波数帯域（特に高周波数帯域）において著しく大きくなることなく、振動周波数に対してフラットな特性（電圧波形の傾きが略一定、あるいは急激に変化することがない出力電圧特性）となるので、ノックセンサによるノッキングに伴う振動の誤検出を防止することができ、ノッキング検出精度が高くなる。
したがって、ノックセンサの出力電圧特性を向上できるので、エンジンのノッキングの検出精度を向上することができる。
また、幅広い周波数帯域に渡って、エンジンのノッキングの検出精度を向上できるので、ノッキング検出域を飛躍的に拡大させることができる。
また、特定の周波数帯域（例えば高周波数帯域）でのばらつきを減らすことができるので、外部に対して出力される出力信号、つまりノックセンサより外部に対して出力される出力信号（電圧信号）の特性の不良を低減することができる。
【００５０】
［変形例］
本実施例では、センサ支持体であるベース５の表面全体に施される防錆または防食皮膜として、ベース５の防錆性および防食性を向上させる亜鉛メッキ皮膜８を採用しているが、センサ支持体の表面全体に施される防錆または防食皮膜として、ベース５の防錆性または防食性を向上させる亜鉛クロメートメッキ皮膜を施しても良い。
なお、亜鉛メッキ皮膜８の表面に、亜鉛メッキ皮膜の防錆性または防食性を向上させる防錆処理皮膜または防食処理皮膜を施しても良い。
【００５１】
本実施例では、ベース５のフランジ１２の下面に設けられる角部４４にＲ面取り加工を施して、角部４４の形状を所定の曲率半径Ｒ（例えばφ０．５ｍｍ以上）を有するＲ面取り形状としているが、ベース５のフランジ１２の下面に設けられる角部４４にテーパ（傾斜）面取り加工を施して、角部４４の形状を鈍角形状としても良い。
この場合、テーパ（傾斜）面取り加工により形成される傾斜面は、座面接触面４１に対して所定の傾斜角度（０°＜θ≦１０°程度）で傾斜し、また、段差４３に対して所定の傾斜角度（０°＜θ≦１０°程度）で傾斜している。
【符号の説明】
【００５２】
１  シリンダブロック
２  取付け座面
３  ボルト
４  ＰＺＴ素子（圧電素子）
５  ベース（センサ支持体）
６  ウェイト
７  センサコネクタ
８  亜鉛メッキ皮膜（防錆または防食皮膜）
１１  スリーブ
１２  フランジ
１３  ナット
１４  雄ネジ
１５  ボルト挿通孔
２１  第１電極板
２２  第２電極板
２３  第１絶縁板
２４  第２絶縁板
４１  座面接触面
４２  座面逃げ面
４３  段差
４４  角部
【図１】
2013096844.tif 000003
【図２】
2013096844.tif 000004
【図３】
2013096844.tif 000005
【図４】
2013096844.tif 000006
【図５】
2013096844.tif 000007